(57)【要約】      （修正有）【課題】折れ戸にあって、内側へ開く内開きと、外側へ開く外開きの２つの開方向をどちらか一方に簡単な構造により容易に選択できるようにした扉装置を提供する。【解決手段】二つの部分である主戸と従戸とが連結された折れ戸を備えた扉装置において、従戸が一端側の上下に一対のヒンジを備える。主戸６ａが枠体１４の横枠に吊持されて移動と回動自在に構成されている。主戸６ａの対峙する枠体の縦枠１４ｃに、主戸６ａの内開き又は外開きを選択できる突起２６を設けている。【選択図】図５
0003192602.tif 000002
【実用新案登録請求の範囲】
【請求項１】
二つの部分である主戸と従戸とが連結された折れ戸を備えた扉装置において、前記従戸が一端側の上下に一対のヒンジを備えて回動自在に、前記主戸が枠体の横枠に吊持されて移動と回動自在に構成されると共に、
前記主戸の反連結側端が対峙する枠体の縦枠に、主戸の内開き又は外開き方向を規制する規制手段を設けたことを特徴とする扉装置。
【請求項２】
前記規制手段は、突起であることを特徴とする請求項１記載の扉装置。
【請求項３】
前記突起は、前記縦枠に埋め込まれる外周に係止突起を有するナットと、それに螺合するボルト付凸部とより成ることを特徴とする請求項２記載の扉装置。
【請求項４】
前記突起は前記縦枠に取付けられたナットと、それに螺合するボルト付凸部とより成ることを特徴とする請求項２記載の扉装置。
【考案の詳細な説明】
【技術分野】
【０００１】
この考案は、老人、身体障害者、知的障害者等ハンディキャップを持った人が利用するトイレ等の扉装置に関する。
【背景技術】
【０００２】
従来、車椅子に搭乗した使用者がトイレを利用する時には、該トイレに近づき、移動距離を短くすることが好ましい。また、扉の開口も大きくすることが望まれる。
【０００３】
このため、例えば、日本国特許文献１（特開２０００−０６４７１６）に示すように、引戸を３つに分け、中央戸１１とそれに隣接した一方戸１２及び他方戸１３とした例が示され、開口部６６に３枚の戸１が摺動自在に動かされる支持部３を持ち、これらの戸１を動かす凸状取手４を備えて、開口部６６を広く取る例が示されている。
【先行技術文献】
【特許文献】
【０００４】
【特許文献１】特開２０００−０６４７１６号公報
【考案の概要】
【０００５】
また、本出願人は、図８,図９に示す構造の扉装置をトイレに採用している。この扉装置５１は、折れ戸５２が採用され、例えば便器５３を備えたトイレ空間５４の一面を画成している。この折れ戸５２は、２つ折りで、２つの部分である主戸５６ａと従戸５６ｂとで構成され、両者は縦長の部材で、上方と下方に設けられた連結具５７により屈曲自在に連結されている。
【０００６】
連結具５７は、図１０に示すように、主戸５６ａと従戸５６ｂのそれぞれ一方側の上下端に噛合する連結歯車５９ａ、５９ｂをそれぞれ設けると共に、両連結歯車５９ａ，５９ｂの噛合状態を維持する連結板６０を支軸６１ａ，６１ｂを介してそれぞれ連結歯車５９ａ，５９ｂに取付けている。したがって、主戸５６ａと従戸５６ｂは、連結状態を維持しながら連結歯車５９ａ，５９ｂを介して折れ曲がることができる。
【０００７】
主戸５６ａは、上方端で左右方向中心にあって、図１１に示す枠体６４の横枠６４ｂに設けられているレール６５内を摺動するための複数の車軸６６と、それを支える本体６７と、本体６７から吊下する吊軸６８とより成る吊り車６２に吊持されている。この吊り車６２の前記吊軸６８が図８に示すように主戸５６ａに連結され、主戸５６ａは吊軸６８を介して吊持されながら回転されると共に横枠６４ｂに沿って移動される。即ち、図９に示す実線の位置より、二点鎖線の位置へ動かされる。
【０００８】
図８，図９に戻って、従戸５６ｂは、枠体６４の縦枠６４ａ側で上下端に一対のヒンジ７０が設けられ、枠体６４の横枠６４ｂと床面７１に対して揺動自在に支えられている。したがって、従戸５６ｂはヒンジ７０を支点として図９に示す実線の位置より二点鎖線の位置へ動かされる。
【０００９】
前記折れ戸５２を構成する主戸５６ａには、枠体６４の縦枠６４ｃの部位付近にハンドル７２を内側及び外側に有している。ハンドル７２を握って揺動すると、錠７３を左右方向に伸縮させることができる。この錠７３には、内部に図示しないが磁石を有している。この錠７３は、前記縦枠６４ｃに設けられた錠受け７４とで折れ戸５２のロックが行われる。
【考案が解決しようとする課題】
【００１０】
以上のような折れ戸５２にあっては、構造上から図９に示すＡのように内側へ開く（内開き）ように折り畳むこと、Ｂのように外側へ開く（外開き）ように折り畳むことができる。即ち、両方向へ開くこともできるが、どちらか一方へ選択的に開くことの要請もある。しかし、それを実施しようとすると、構造が複雑とならざるを得なく、予め枠体に加工を施しておかなければならない。
【００１１】
この考案は、折れ戸の開方向を簡易な方法で内開き又は外開きに選択できるようにした扉装置を提供する。
【課題を解決するための手段】
【００１２】
この考案に係る扉装置は、二つの部分である主戸と従戸とが連結された折れ戸を備えた扉装置において、前記従戸が一端側の上下に一対のヒンジを備えて回動自在に、前記主戸が枠体の横枠に吊持されて移動と回動自在に構成されると共に、前記主戸の反連結側端が対峙する枠体の縦枠に、主戸の内開き又は外開き方向を規制する規制手段を設けたことにある（請求項１）。
【００１３】
この構成により、折れ戸の主戸の反連結側端がその開閉時の動きの軌跡上に規制手段が突出するため、主戸が規制手段と接触することで、主戸の内開き又は外開き方向が好みの一方向に選択される。
【００１４】
前記規制手段は、突起であることが好ましく（請求項２）、また突起は前記枠体の縦枠に埋め込まれる外周に係止突起を有するナットと、それに螺合するボルト付凸部とよりなるものであることが好ましい（請求項３）。この構成により、枠体が木製品の場合には、縦枠に穴を形成し、しかる後に穴に外周に係止突起を有するナットを押し込み、このナットにボルト付凸部をねじ込んで突起は作られる。
【００１５】
前記突起は前記縦枠に取付けられたナットと、それに螺合するボルト付凸部とより成るものであることが好ましい（請求項４）。この構成により、縦枠が金属製で作られた場合には、縦枠にナットを溶着等して取付け、このナットにボルト付凸部をねじ込んで突起は作られる。
【考案の効果】
【００１６】
請求項１の考案によれば、折れ戸の主戸の開閉時の動きの際にその反連結側端の軌跡上に規制手段が突出するため、主戸が規制手段と接触することで、主戸の内開き又は外開き方が好みの一方向に選択することができる。しかも、枠体の縦枠に簡単に規制手段を設けるだけで直ちに実行できるし、また方向性をも規制手段の設ける位置のみの変更で直ちに行うことができる利点を持っている。
【００１７】
請求項２の考案によれば、規制手段は突起であることから、取り付け又は取り外しもさらに製造も容易となる。
請求項３の考案によれば、枠体が木製品である場合には、縦枠に穴を形成し、しかる後に穴に外周に係止突起を有するナットを押し込み、このナットにボルト付凸部をねじ込んで突起を作ることができ、突起の形成は容易であり、予めナットを入れた穴を形成しておけば、開く方向性の選択ならびに変更も容易と成る。
【００１８】
請求項３の考案によれば、縦枠が金属製の場合にも、縦枠にナットを溶着等して取付けておけば、このナットにボルト付凸部をねじ込んで突起を作ることができる。これによっても突起の形成は容易であり、予めナットを両側に取り付けておけば開く方向の選択ならびに変更も容易となる。
【図面の簡単な説明】
【００１９】
【図１】この考案に係る扉装置をトイレに使用した状態の正面図である。
【図２】同上の平面図である。
【図３】折れ戸の主戸と従戸を連結する連結具の平面図である。
【図４】枠体の横枠に設けられている吊り車の説明図である。
【図５】折れ戸の主戸と枠体の縦枠に設けられた突起との関係を示す説明図である。
【図６】木製の枠体に係止突起を有するナット、ボルト付凸部を接着するための説明図である。
【図７】金属性の枠体にボルト付凸部を接着するための説明図である。
【図８】この考案を用いていない折れ戸の扉装置をトイレに使用した状態の正面図である。
【図９】同上の平面図である。
【図１０】折れ戸の主戸を連結する連結具の平面図である。
【図１１】枠体の横枠に設けられている吊り車の説明図である。
【考案を実施するための形態】
【実施例】
【００２０】
以下本考案を図面に基づいて説明する。
【００２１】
図１及び図２において、折れ戸を用いた扉装置１をトイレに用いた例を示しており、扉装置１は折れ戸２が採用され、便器３を備えたトイレ空間４の一面を画成している。この折れ戸２は、２つ折りで、二つの部分である主戸６ａと従戸６ｂとで構成され、両者は縦長の部材で、上方と下方に設けられた連結具７により屈曲自在に連結されている。
【００２２】
連結具７は、図３に示すように、主戸６ａと従戸６ｂのそれぞれ一方側の上下端に噛合する連結歯車９ａ、９ｂをそれぞれ設けると共に、両連結歯車９ａ，９ｂの噛合状態を維持する連結板１０を支軸１１ａ，１１ｂを介してそれぞれ連結歯車９ａ，９ｂに取付けている。したがって、主戸６ａと従戸６ｂは、連結状態を維持しながら連結歯車９ａ，９ｂを介して折れ曲がることができる。
【００２３】
主戸６ａは、上方端で左右方向中心にあって、図４に示す枠体１４の横枠１４ｂに設けられているレール１５内を摺動するための複数の車軸１６と、それを支える本体１７と、本体１７から吊下する吊軸１８とより成る吊り車１２に吊持されている。この吊り車１２の、前記吊軸１８が主戸６ａに連結され、主戸６ａは吊軸１８を介して吊持されながら回転されると共に横枠１４ｂに沿って移動される。即ち、図２に示す実線の位置より、二点鎖線の位置へ動かされる。
【００２４】
図１，図２に戻って、従戸６ｂは、枠体１４の縦枠１４ａ側で上下端に一対のヒンジ２０が設けられ、枠体１４の横枠１４ｂと床面２１に対して揺動自在に支えられている。したがって、従戸６ｂはヒンジ２０を支点として図２に示す実線の位置より二点鎖線の位置へ動かされる。
【００２５】
前記折れ戸５２を構成する主戸６ａには、枠体１４の縦枠１４ｃの部位付近にハンドル２２を内側及び外側に有している。ハンドル２２を握って揺動すると、錠２３を左右方向に伸縮させることができる。この錠２３には、内部に図示しないが磁石を有している。この錠２３は、前記縦枠１４ｃに設けられた錠受け２４とで折れ戸２のロックが行われる。
【００２６】
以上、扉装置１の構成を説明したが、本願考案に係る部分を、図５乃至図７に基づいて説明する。図５には、折れ戸２の主戸６ａの反連結側端と、これと対峙する枠体１４の縦枠１４ｃとの関係が示されている。この図示では、縦枠１４ｃの室内側の部位に突起２６が設けられている。したがって、主戸６ａが室内側へ動こうとすると、主戸６ａの先端（反連結側端）が突起２６と衝突し、動くことができない。即ち、主戸６ａの動きの軌跡（二点鎖線で示す）上に突起２６が突出するためである。この例では、折れ戸２は外開きとして機能される。
【００２７】
図６には、木製の枠体１４の縦枠１４ｃに突起２６の取付のための具体的構成が示されている。突起２６は縦枠１４ｃに形成されている穴２７に押し込まれる外周に係止突起を有するナット２８と、このナット２８に螺合されるボルト付凸部２９より成っていて、この突起２６を縦枠１４ｃに取付けるには、まず外周に係止突起を有するナット２８を予め形成されている穴２７に押し込んで取付ける。それからこのナット２８にボルト付凸部２９のボルト部位を螺合する。すると突起２６が縦枠１４ｃに設けられ、前記した主戸６ａの軌跡上に突出される。
【００２８】
図５に戻って、室外側に二点鎖線で示した位置に突起２６を設ければ、内開きとして機能される。その場合は、予め穿たれている穴に挿入の係止突起を有するナット２８に、室内側に設けられているボルト付凸部２９を外してから螺入することで、開き方向の切換が簡単に行われる。
【００２９】
図７において、枠体１４の縦枠１４ｃがアルミニウムなどの金属製の場合には、枠体１４の縦枠１４ｃにナット２８ａを溶着等して取付けている。そしてこのナット２８ａにボルト付凸部２９を螺合して、突起２６が作られる。
【００３０】
図５において、前記枠体１４の縦枠１４ｃの横断面が示されていて、この縦枠１４ｃと折れ戸２の主戸６ａとの間の隙間Ｈを構成する一方の縦枠１６に、縦方向に凹部３１を形成している。したがって、凹部３１内に折れ戸２の主戸６ａの先端部が入り込んで隙間Ｈが非直線となって、外部から内部を見えなくしている。
【符号の説明】
【００３１】
１  扉装置
２  折れ戸
４  トイレ空間
６ａ  主戸
６ｂ  従戸
１２  吊り車
１４  枠体
１４ｂ  横枠
１４ｃ  縦枠
１８  吊軸
２６  突起
２７  穴
２８  係止突起を有するナット
２９  ボルト付凸部
３１  凹部
【図１】
0003192602.tif 000003
【図２】
0003192602.tif 000004
【図３】
0003192602.tif 000005
【図４】
0003192602.tif 000006
【図５】
0003192602.tif 000007
【図６】
0003192602.tif 000008
【図７】
0003192602.tif 000009
【図８】
0003192602.tif 000010
【図９】
0003192602.tif 000011
【図１０】
0003192602.tif 000012
【図１１】
0003192602.tif 000013